(57)【要約】      （修正有）【課題】通常使用時には解体を規制することができ、廃棄時には簡単に解体することができる包装箱を提供する。【解決手段】トレイ１は、底壁１０の前後方向の端部に立設される側壁１１と、底壁１０の左右方向の端部に立設される端壁１２と、を備え、側壁１１の左右方向の中間領域１１Ｃには、内側に折返可能な折返し片２２が形成され、折返し片２２が側壁１１の内側に折り返されることで、側壁１１には上端から下方に向かって凹部２１が凹設され、側壁１１には、凹部２１の縁部２１Ａから側壁１１の下端までの間に側壁１１の中間領域１１Ｃを切り離す切断線２３が形成され、折り返された折返し片２２の左右方向の端部は、切断線２３を跨ぐようにして側壁１１の内面に重なり、側壁１１が切断線２３に沿って切断されながら外側に倒れることを規制し、側壁１１が切断線２３に沿って切断されながら内側に倒れることを許容する。【選択図】図１
2020200100.tif 000002
【特許請求の範囲】
【請求項１】
底壁（１０）と、
前記底壁の第１方向の端部に立設される側壁（１１）と、
前記底壁の第１方向に交差する第２方向の端部に立設される端壁（１２）と、を備え、
前記側壁の第２方向の中間領域（１１Ｃ）には、内側に折返可能な折返し片（２２）が形成され、
前記折返し片が前記側壁の内側に折り返されることで、前記側壁には上端から下方に向かって凹部（２１）が凹設され、
前記側壁には、前記凹部の縁部（２１Ａ）から前記側壁の下端までの間に前記側壁の前記中間領域を切り離す切断線（２３）が形成され、
折り返された前記折返し片の第２方向の端部は、前記切断線を跨ぐようにして前記側壁の内面に重なり、前記側壁が前記切断線に沿って切断されながら外側に倒れることを規制し、前記側壁が前記切断線に沿って切断されながら内側に倒れることを許容することを特徴とする包装箱。
【請求項２】
前記底壁と前記側壁との境界には、前記側壁の前記中間領域を除く側方領域（１１Ａ）を前記底壁から分離する第２の切断線（３０）が形成されたことを特徴とする請求項１に記載の包装箱。
【請求項３】
前記凹部の下方の縁部（２１Ａ）と側方の縁部（２１Ｂ）とは、２つ以上の変曲点（Ｐ１，Ｐ２）を構成する斜行縁部（２１Ｃ）を介して連続し、
前記切断線は、最下部の前記変曲点（Ｐ２）から下方に向かって延設されたことを特徴とする請求項１または２に記載の包装箱。
【請求項４】
前記底壁、前記側壁および前記端壁は、段ボールシートで構成され、
前記切断線は、複数の切目（２３Ａ）を並設したジッパーであり、
前記切目は、
上下方向に延設され、前記段ボールシートの裏面から厚み方向の中間まで切断された半切線部（２３Ｂ）と、
前記半切線部の上端から斜め上方に延設され、前記段ボールシートを厚み方向に貫通した全切線部（２３Ｃ）と、を含むことを特徴とする請求項１ないし３のいずれかに記載の包装箱。
【請求項５】
前記端壁に連設され、前記側壁の前記中間領域を除く側方領域（１１Ａ）に固定される固定壁（１３）を更に備えたことを特徴とする請求項１ないし４のいずれかに記載の包装箱。
【請求項６】
前記固定壁は、筒状に形成された柱部（２８）の一部を構成することを特徴とする請求項５に記載の包装箱。
【発明の詳細な説明】
【技術分野】
【０００１】
本発明は、包装箱に関する。
【背景技術】
【０００２】
特許文献１には、正面板部、背面板部および一対の側面板部が底面板部の四周に立設され、上部が開口した段ボール箱が開示されている。底面板部のコーナー部には４つの支柱部が立設しており、正面板部および背面板部は支柱部に接着されている。段ボール箱を廃棄する場合、正面板部および背面板部は、支柱部との境界線に沿って外方に引き破られ、底面板部と同一面上に展開される。
【先行技術文献】
【特許文献】
【０００３】
【特許文献１】特開平１０−１０１０６２号公報
【発明の概要】
【発明が解決しようとする課題】
【０００４】
しかしながら、上記した段ボール箱では、正面板部および背面板部に切断線等が形成されておらず、段ボール箱を解体するために、正面板部および背面板部が強引に引き破られていた。したがって、上記した段ボール箱では容易に解体することができなかった。
【０００５】
仮に、正面板部および背面板部に解体用の切断線を形成すれば、上記のような問題は解消する。しかし、例えば、輸送時に物品が段ボール箱の内部で移動（振動）して正面板部等に押圧力（内圧力）がかかったり、正面板部等に手を掛けて引き摺られたりすると、解体する意図がないにもかかわらず、正面板部等が切断線で切断されてしまうという別の問題が生じる。つまり、解体用の切断線を設けた場合には、通常使用時に段ボール箱が解体されてしまう虞があった。
【０００６】
本発明は、上記課題を解決するために、通常使用時には解体を規制することができ、廃棄時には簡単に解体することができる包装箱を提供する。
【課題を解決するための手段】
【０００７】
上記した目的を達成するため、本発明の包装箱は、底壁と、前記底壁の第１方向の端部に立設される側壁と、前記底壁の第１方向に交差する第２方向の端部に立設される端壁と、を備え、前記側壁の第２方向の中間領域には、内側に折返可能な折返し片が形成され、前記折返し片が前記側壁の内側に折り返されることで、前記側壁には上端から下方に向かって凹部が凹設され、前記側壁には、前記凹部の縁部から前記側壁の下端までの間に前記側壁の前記中間領域を切り離す切断線が形成され、折り返された前記折返し片の第２方向の端部は、前記切断線を跨ぐようにして前記側壁の内面に重なり、前記側壁が前記切断線に沿って切断されながら外側に倒れることを規制し、前記側壁が前記切断線に沿って切断されながら内側に倒れることを許容する。
【０００８】
この場合、前記底壁と前記側壁との境界には、前記側壁の前記中間領域を除く側方領域を前記底壁から分離する第２の切断線が形成されたことが好ましい。
【０００９】
この場合、前記凹部の下方の縁部と側方の縁部とは、２つ以上の変曲点を構成する斜行縁部を介して連続し、前記切断線は、最下部の前記変曲点から下方に向かって延設されたことが好ましい。
【００１０】
この場合、前記底壁、前記側壁および前記端壁は、段ボールシートで構成され、前記切断線は、複数の切目を並設したジッパーであり、前記切目は、上下方向に延設され、前記段ボールシートの裏面から厚み方向の中間まで切断された半切線部と、前記半切線部の上端から斜め上方に延設され、前記段ボールシートを厚み方向に貫通した全切線部と、を含むことが好ましい。
【００１１】
この場合、前記端壁に連設され、前記側壁の前記中間領域を除く側方領域に固定される固定壁を更に備えたことが好ましい。
【００１２】
この場合、前記固定壁は、筒状に形成された柱部の一部を構成することが好ましい。
【発明の効果】
【００１３】
本発明によれば、通常使用時には解体を規制することができ、廃棄時には簡単に解体することができる包装箱を提供する。
【図面の簡単な説明】
【００１４】
【図１】本発明の一実施形態に係るトレイを示す斜視図である。
【図２】本発明の一実施形態に係るトレイのブランクを示す平面図である。
【図３】本発明の一実施形態に係るトレイのブランクの一部を拡大して示す平面図である。
【図４】本発明の一実施形態に係るトレイであって、柱部を形成した状態を示す斜視図である。
【図５】本発明の一実施形態に係るトレイであって、折返し片と切断線との位置関係を説明する斜視図である。
【図６】本発明の一実施形態に係るトレイの側壁を切断線に沿って切断した状態を示す斜視図である。
【図７】本発明の一実施形態に係るトレイの解体した状態を示す斜視図である。
【発明を実施するための形態】
【００１５】
以下、添付の図面を参照しつつ、本発明の実施形態について説明する。なお、図面に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。前後方向（第１方向）は、左右方向（第２方向）に直交（交差）し、上下方向は前後方向と左右方向とに直交（交差）している。本明細書では方向や位置を示す用語を用いるが、それらの用語は説明の便宜のために用いるものであって、本発明の技術的範囲を限定するものではない。
【００１６】
［トレイの概要］
図１ないし図３を参照して、包装箱の一例としてのトレイ１について説明する。図１はトレイ１を示す斜視図である。図２はトレイ１のブランク５を示す平面図である。図３はブランク５の一部を拡大して示す平面図である。
【００１７】
図１に示すように、トレイ１は、底壁１０の前後方向の両端部に立設した一対の側壁１１と、底壁１０の左右方向の両端部に立設した一対の端壁１２と、を備えている。トレイ１は、上面を開放した略直方体状に形成されている。底壁１０上には物品（図示せず）が載置され、トレイ１は物品を収容した状態で上下に複数積層可能に形成されている。
【００１８】
トレイ１は、図２に示すブランク５を組み立てることで形成されている。ブランク５は、１枚の紙製の段ボールシートを抜型等で打ち抜いて形成されている。段ボールシートは、例えば、波状の中しん９Ａに表ライナ９Ｂと裏ライナ９Ｃ（図１参照）とを貼り合せた両面段ボールシートである。なお、図２および図３は、表ライナ９Ｂ側を示している。本明細書では、段ボールシートの中しん９Ａと平行な方向を「段方向」と呼び、段方向に直交する方向を「流れ方向」と呼ぶこととする。図面に示す「Ｘ」は「段方向」を示し、「Ｙ」は「流れ方向」を示している。また、本明細書では、方向を示す用語は、トレイ１を組み立てた状態（組立状態）における方向を指している。
【００１９】
［ブランク］
図２に示すように、ブランク５は、底壁１０と、一対の側壁１１と、一対の端壁１２と、４つの固定壁１３と、４つの柱壁１４と、を備えている。
【００２０】
＜底壁＞
底壁１０は、流れ方向（第１方向）の幅よりも段方向（第２方向）の長さを長くした略長方形状に形成されている。底壁１０の四隅部分には、４つの連結穴２０が穿設されている。連結穴２０は、底壁１０の四隅の直交する２辺に対して略４５度に傾斜した略楕円形状に形成されている。詳細は後述するが、複数のトレイ１を積層した際に、下方のトレイ１の連結凸部２７が、上方のトレイ１の連結穴２０に嵌合する。
【００２１】
＜側壁＞
一対の側壁１１は、第１折曲線Ｌ１を介して底壁１０の流れ方向の両端部に連設されている。側壁１１は略長方形状に形成されており、その流れ方向の寸法（延出寸法）は底壁１０の流れ方向の寸法の半分程度に設定されている。なお、一対の側壁１１は底壁１０を中心とした線対称となる形状であるため、以下、主に１つの側壁１１について説明する。
【００２２】
側壁１１の左右方向の中間領域１１Ｃには、内側に折返可能な折返し片２２が形成されている。図１に示すように、折返し片２２が折り返されることで、側壁１１には先端（上端）から基端側（下方）に向かって凹部２１が凹設される。凹部２１は、基端側の両角を面取りして略六角形状に形成された窪みである。なお、詳細は後述するが、側壁１１において凹部２１の段方向の幅よりも両外側の領域（側壁１１の中間領域１１Ｃを除く領域）は、固定壁１３を固定（接着）するための固定領域１１Ａ（請求項でいう「側方領域」）として設定されている。
【００２３】
図１および図２に示すように、折返し片２２は、２本の第２折曲線Ｌ２を介して凹部２１の基端側（下方）の縁部２１Ａに連設されている。２本の第２折曲線Ｌ２（縁部２１Ａ）は、第１折曲線Ｌ１と略平行に延びている。なお、凹部２１の下方の縁部２１Ａとは、主に基端側の第２折曲線Ｌ２によって構成される。図２に示すように、折返し片２２は、略四角形状に形成され、凹部２１の内側に配置されている。折返し片２２の流れ方向の先端は、各固定領域１１Ａの流れ方向の先端と略一致している。折返し片２２の段方向の両端と凹部２１の段方向の両縁との間には、隙間が形成されている。
【００２４】
図１に示すように、トレイ１を組み立てた状態（組立状態）において、凹部２１は、中間領域１１Ｃにて上端から下方に向かって凹設されている。図１ないし図３に示すように、凹部２１の段方向（左右方向）の両側（側方）の縁部２１Ｂは、下方の縁部２１Ａに略直交する方向（上下方向）に延びている。凹部２１の縁部２１Ａと縁部２１Ｂとは、２つの変曲点Ｐ１，Ｐ２を構成する斜行縁部２１Ｃを介して連続している。斜行縁部２１Ｃは、最上部の変曲点Ｐ１から最下部の変曲点Ｐ２までの間に、段方向（左右方向）の外側から中央側に向かって基端側に斜め（斜め下方）に延設されている。
【００２５】
（切断線）
図１ないし図３に示すように、側壁１１には、凹部２１の下方の縁部２１Ａから側壁１１の下端までの間に一対の切断線２３が形成されている。詳細には、一対の切断線２３は、最下部の変曲点Ｐ２から下方に向かって直線的に延設されている。切断線２３は、第１折曲線Ｌ１に対して略直交する方向に延びている。切断線２３は、複数の切目２３Ａを略等間隔に並設したジッパーであり、側壁１１の中間領域１１Ｃを（一対の固定領域１１Ａから）切り離す機能を有している。
【００２６】
図３に示すように、切断線２３を構成する切目２３Ａは、流れ方向（上下方向）に延設された半切線部２３Ｂと、半切線部２３Ｂの先端（上端）から外側斜め上方に延設された全切線部２３Ｃと、を含み、略Ｌ字状に形成されている。半切線部２３Ｂは、段ボールシートの裏面（裏ライナ９Ｃ）から厚み方向の中間まで切断されている（図２および図３では破線で示している。）。全切線部２３Ｃは、段ボールシートを厚み方向に貫通している。つまり、半切線部２３Ｂは側壁１１の表面（表ライナ９Ｂ）に表れないが、全切線部２３Ｃは側壁１１の表面に表れている（図１参照）。なお、最下部の変曲点Ｐ２に接する切目２３Ａは、上下方向に延びた直線状に形成され、段ボールシートを厚み方向に貫通している。
【００２７】
図２および図３に示すように、上記した折返し片２２の段方向の両端部は、２つの変曲点Ｐ１，Ｐ２の間にて斜行縁部２１Ｃにオーバーラップしている。すなわち、折返し片２２の段方向の両側は、一対の切断線２３よりも段方向外側に延設されている。折返し片２２の段方向の両側の突出し量Ｓ（半切線部２３Ｂから折返し片２２の段方向の先端までの寸法（図３参照））は、１ｍｍ以上に設定されることが好ましい。より具体的には、例えば、側壁１１の長手方向（段方向）の寸法が６００ｍｍ程度であれば、当該突出し量Ｓは１〜１５ｍｍ程度に設定されるとよい。
【００２８】
（第２の切断線）
図２に示すように、底壁１０と側壁１１の各固定領域１１Ａとの境界（第１折曲線Ｌ１上）には、第２の切断線３０が形成されている。第２の切断線３０は、切断線２３の基端部（下端部）から段方向の外側に向かって延設されている。第２の切断線３０は、複数の略Ｌ字状の切目を略等間隔に並設したジッパーであり、固定領域１１Ａを底壁１０から分離する機能を有している。
【００２９】
＜端壁＞
図２に示すように、一対の端壁１２は、第３折曲線Ｌ３を介して底壁１０の段方向の両端部に連設されている。端壁１２は略長方形状に形成されており、その段方向の寸法（延出寸法）は側壁１１の延出寸法と略同一である。端壁１２の略中央には、トレイ１の運搬時に作業者が手を掛けるための手掛け穴２４が穿設されている。手掛け穴２４の段方向の外縁部（上縁部）には、内側に折曲可能な一対の手掛け緩衝片２５が手掛け折曲線２５Ａを介して連設されている。
【００３０】
＜固定壁＞
４つの固定壁１３は、第４折曲線Ｌ４を介して一対の端壁１２の流れ方向の両端部に連設されている。固定壁１３は略長方形状に形成されており、その流れ方向の寸法（延出寸法）は側壁１１の延出寸法の約１／４に設定されている。固定壁１３の流れ方向の先端側には、解体用折線２６が第４折曲線Ｌ４と平行に形成されている。解体用折線２６は、直線状の切目を等間隔に並設したミシン刃線である。
【００３１】
＜柱壁＞
４つの柱壁１４は、４つの固定壁１３の流れ方向の両端部に連設されている。各々の柱壁１４は、柱本体壁１４Ａと、柱接着片１４Ｂと、を含んでいる。なお、４つの柱壁１４は同様の構成であるため、以下、主に１つの柱壁１４について説明する。
【００３２】
柱本体壁１４Ａは、第５折曲線Ｌ５を介して固定壁１３の流れ方向の端部に連設されている。柱本体壁１４Ａは略長方形状に形成されており、その流れ方向の寸法（延出寸法）は固定壁１３の延出寸法よりも僅かに長く設定されている。柱本体壁１４Ａの段方向の先端には、連結凸部２７が突設されている。連結凸部２７の突出量は、段ボールシートの厚み程度に設定されている。柱接着片１４Ｂは、逆折線Ｌ６を介して柱本体壁１４Ａの流れ方向の端部に連設されている。柱接着片１４Ｂは、柱本体壁１４Ａと略同一形状に形成されている。
【００３３】
なお、第１〜第５折曲線Ｌ１〜Ｌ５および手掛け折曲線２５Ａは、段ボールシートを裏ライナ９Ｃから直線状に凹ませた汎用罫線である。汎用罫線は、裏ライナ９Ｃを内側に向けるように段ボールシートを折り曲げる（正折りする）機能を有している。逆折線Ｌ６は、段ボールシートを表ライナ９Ｂから直線状に凹ませた逆罫線である。逆罫線は、表ライナ９Ｂを内側に向けるように段ボールシートを折り曲げる（逆折りする）機能を有している。なお、各々の折曲線Ｌ１〜Ｌ６等は、汎用罫線や逆罫線に限らず、例えば、汎用罫線上に切目を形成したリード罫線等、段ボールシートを折り曲げるための線であれば如何なるものでもよい。
【００３４】
［トレイの組立］
次に、図１、図４および図５を参照して、トレイ１の組立作業について説明する。図４は柱部２８を形成したトレイ１を示す斜視図である。図５は折返し片２２と切断線２３との位置関係を説明する斜視図である。なお、トレイ１は、作業者によって手作業で組み立てられてもよいし、製函機（図示せず）によって全自動または半自動で組み立てられてもよい。ここでは、一例として、製函機が全自動でトレイ１を組み立てる場合について説明する。
【００３５】
製函機にはブランク５がセットされ、製函機は、そのブランク５を折り曲げたり接着したりすることでトレイ１を組み立てる。
【００３６】
具体的には、製函機は、各固定壁１３を第４折曲線Ｌ４に沿って略直角に正折りし、各柱本体壁１４Ａを第５折曲線Ｌ５に沿って正折りし、各柱接着片１４Ｂを逆折線Ｌ６に沿って逆折りする（図４参照）。また、製函機は、接着剤を介して各柱接着片１４Ｂを端壁１２の内面に接着（固定）する。続いて、製函機は、一対の端壁１２を第３折曲線Ｌ３に沿って上方に略直角に折り曲げ、一対の端壁１２を底壁１０の左右両端部に立設させる（図４参照）。この状態で、図４に示すように、各固定壁１３は、第１折曲線Ｌ１に沿って立設される。各柱本体壁１４Ａは、端壁１２と固定壁１３とに対して略４５度に傾斜した姿勢になり、底壁１０に開口した連結穴２０上に配置される。端壁１２と固定壁１３と柱本体壁１４Ａとは、略三角形断面を有する筒状（略三角柱状）に形成された柱部２８を構成する。底壁１０の四隅部分には、４本の柱部２８が立設される。
【００３７】
次に、製函機は、一対の折返し片２２を２本の第２折曲線Ｌ２に沿って折り返し、接着剤を介して一対の折返し片２２を一対の側壁１１の内面（裏ライナ９Ｃ）に接着（固定）する。この状態で、各側壁１１には、凹部２１が形成される（図４参照）。折り返された折返し片２２の左右方向の端部は、切断線２３を跨ぐようにして側壁１１の内面に重なっている（図５も参照）。換言すれば、折返し片２２は、切断線２３を越えて（横断して）固定領域１１Ａにまで延設されている。つまり、折返し片２２の左右両側は、切断線２３の上部裏側を覆っている。なお、折返し片２２を折り返して側壁１１に接着することで、側壁１１の強度を向上させることができる。
【００３８】
また、製函機は、一対の側壁１１を第１折曲線Ｌ１に沿って上方に略直角に折り曲げ、一対の側壁１１を底壁１０の前後両端部に立設させ、接着剤を介して各側壁１１（固定領域１１Ａ）を各固定壁１３の外面（表ライナ９Ｂ）に接着（固定）する（図１参照）。
【００３９】
以上によって、トレイ１が完成する（図１参照）。なお、本実施形態では、接着剤として、ホットメルト接着剤を用いているが、その他の接着剤を用いてもよいし、両面テープを用いてもよい。
【００４０】
作業者は、完成したトレイ１の底壁１０の上に物品を載置する。また、作業者が、トレイ１を運搬するために各手掛け穴２４の上縁部に手を掛けると、各手掛け緩衝片２５が手掛け折曲線２５Ａに沿って内側に折れ曲がる（図示せず）。作業者は、折れ曲がった各手掛け緩衝片２５の下面に手を掛けてトレイ１を持ち運ぶことができる。このように各手掛け緩衝片２５が内側に折れ曲がることで、手掛け穴２４の上縁部が作業者の手に食い込むことが抑制され、作業者の手への負担を軽減することができる。これにより、作業者にとって持ち運びやすいトレイ１となる。
【００４１】
［トレイの積層作用］
また、図示は省略するが、トレイ１は、上下方向に複数積層することができる。例えば、作業者は、下段のトレイ１の上方に上段のトレイ１を同じ向きに配置し、上段のトレイ１を下段のトレイ１の４つの柱部２８に載せる。下段のトレイ１の各連結凸部２７は、上段のトレイ１の各連結穴２０に差し込まれる。以上によって、２つのトレイ１が、互いに横ずれを規制された状態で積み重ねられる。
【００４２】
ところで、トレイ１は、物品を収容した状態で、車両によって輸送されたり、作業者によって運搬されたりする。その際、物品がトレイ１の内部で振動したり移動したりするため、側壁１１には内側から外側に向かう押圧力がかかることがある。他にも、作業者が、床や作業台に置かれたトレイ１の側壁１１の凹部２１に手を掛けて引き摺ることがある。このように、トレイ１の通常使用時において側壁１１を外側に傾倒させる力が働くと、意図せず、側壁１１が切断線２３で切断される虞がある。
【００４３】
この点、図５に示すように、本実施形態に係るトレイ１では、折返し片２２が切断線２３を越えて固定領域１１Ａまで延びているため、側壁１１（中間領域１１Ｃ）を外側に倒そうとすると、折返し片２２の端部が固定領域１１Ａに内面に押し当てられる。すなわち、折返し片２２の端部は、固定領域１１Ａの内面に干渉するため、側壁１１（中間領域１１Ｃ）が切断線２３に沿って切断されながら外側に倒れることを規制する。また、トレイ１に物品が収容された状態（通常使用時）では、物品が側壁１１の内面に接触するため、側壁１１が内側に倒れ難くなっている。以上のように、通常使用時では、このトレイ１の側壁１１は、外側にも内側にも倒れ難くなっており、側壁１１が切断線２３で切断され難い構造となっている。
【００４４】
［トレイの解体］
次に、図６および図７を参照して、トレイ１の解体について説明する。図６は側壁１１を切断線２３に沿って切断した状態を示す斜視図である。図７はトレイ１の解体した状態を示す斜視図である。
【００４５】
全ての物品を取り出されたトレイ１は解体されて廃棄される。トレイ１は、切断線２３および第２の切断線３０を用いて側壁１１を切断することで解体される。
【００４６】
図６に示すように、作業者は、一方の側壁１１の中間領域１１Ｃの上部（凹部２１の下方の縁部２１Ａ）を掴み、側壁１１を内側に押し倒す。すると、側壁１１は一対の切断線２３に沿って切断され、中間領域１１Ｃは一対の固定領域１１Ａから分離される。上記と同様に、作業者は、他方の側壁１１も切断線２３に沿って切断する。この状態では、側壁１１の各固定領域１１Ａが底壁１０と固定壁１３（柱壁１４）とに接続されているため、各端壁１２は起立姿勢に保持されている。ここで、折返し片２２の端部は切断線２３を覆うように側壁１１に重なっているが（図５参照）、側壁１１の中間領域１１Ｃを内側に倒すと、折返し片２２は中間領域１１Ｃと共に内側に倒れ、その端部は固定領域１１Ａから離れて行く。したがって、折返し片２２の端部が固定領域１１Ａに干渉することはない。また、上記と同様に、他方の側壁１１も一対の切断線２３に沿って切断される。
【００４７】
次に、図７に示すように、作業者は、一方の端壁１２（または柱部２８）を掴んで外側に引き倒す。この際、各側壁１１の各固定領域１１Ａは、第２の切断線３０に沿って切断されながら、端壁１２や柱部２８と共に外側に傾倒する。また、上記と同様に、他方の端壁１２も引き倒され、各固定領域１１Ａも第２の切断線３０に沿って切断される。なお、固定領域１１Ａは、固定壁１３に接着された状態で残される（図７の右側参照）。
【００４８】
次に、作業者は、筒状に形成された４つの柱部２８を平坦に潰す（図７の左側参照）。具体的には、作業者は、第５折曲線Ｌ５で折れた固定壁１３の一部と柱本体壁１４Ａとを平らに戻しながら、固定壁１３を解体用折線２６で折り曲げる。解体用折線２６は柱部２８の周長を２等分する位置に形成されているため、固定壁１３を解体用折線２６で折り曲げることで、柱部２８は平坦に折り畳まれた（潰された）状態になる。また、図７の右側の柱部２８も、左側の柱部２８と同様に潰される。
【００４９】
以上によって、トレイ１が略平坦に解体される。
【００５０】
以上説明した本実施形態に係るトレイ１では、折返し片２２の左右両側（端部）が、切断線２３を覆うようにして側壁１１の内面に重なる構成とした（図５参照）。この構成によって、折返し片２２の左右両側は、側壁１１が切断線２３に沿って切断されながら外側に倒れることを規制し、側壁１１が切断線２３に沿って切断されながら内側に倒れることを許容することができた。これにより、トレイ１に物品が収容された状態（通常使用時）では、側壁１１が外側にも内側にも倒れ難くなり、意図せず、側壁１１が切断線２３で切断されることを抑制することができる。一方で、トレイ１が空の状態では、側壁１１が内側に倒れることを阻害する物品が無くなるため、側壁１１を切断線２３で切断しながら内側に倒すことができる。以上のように、通常使用時にはトレイ１の解体を規制することができ、廃棄時には簡単にトレイ１を解体することができる。
【００５１】
また、本実施形態に係るトレイ１によれば、側壁１１の中間領域１１Ｃを切断線２３に沿って切断し、側壁１１の固定領域１１Ａを第２の切断線３０に沿って切断することで、側壁１１を底壁１０と同一平面上に展開することができる（図７参照）。これにより、トレイ１を平板状に解体することができ、回収されるまで複数のトレイ１を積み上げて保管することができる。
【００５２】
ここで、トレイ１の解体時に作業者が側壁１１の長手方向（左右方向）の中央部を内側に押し込むと、その押込み力は最下部の変曲点Ｐ２に集中し易い。本実施形態に係るトレイ１によれば、切断線２３は、最下部の変曲点Ｐ２を始点としているため、側壁１１を内側に押し込む力によって、側壁１１を簡単に切断することができる。これにより、トレイ１を容易に解体することができる。
【００５３】
また、本実施形態に係るトレイ１では、切断線２３を構成する切目２３Ａが、半切線部２３Ｂと全切線部２３Ｃとを含む構成とした。この構成によれば、半切線部２３Ｂは側壁１１の表面には表れないため、側壁１１の表面を滑らかにすることができる（図１参照）。これにより、例えば、側壁１１に文字やイラストを綺麗に印刷することが可能になる。また、半切線部２３Ｂを含む切断線２３は、切目２３Ａが全て全切線である通常のジッパーに比べて、切断されにくいため、通常使用時に作用する力で側壁１１が切断されることを抑制することができる。
【００５４】
また、本実施形態に係るトレイ１では、側壁１１と端壁１２とが底壁１０の周縁に起立し、側壁１１が固定壁１３に固定（接着）されることで、トレイ１が構成される。この構成によれば、仮に、二重壁とした側壁１１に固定壁１３を包み込む構造に比べて、側壁１１と端壁１２との連結構造を簡単にすることができ、トレイ１を容易且つ安価に製造することができる。また、側壁１１の固定領域１１Ａを固定壁１３から引き剥がすことなく、トレイ１を解体することができる。これにより、トレイ１を短時間で簡単に解体することができる。
【００５５】
また、本実施形態に係るトレイ１によれば、固定壁１３が筒状の柱部２８の一部を構成するため、側壁１１を傾倒させる際に、固定壁１３が共倒れすることを抑制することができる。これにより、側壁１１（中間領域１１Ｃ）を切断線２３に沿って切断しながら内側に傾倒させることができ、トレイ１の解体作業を適切に行うことができる。
【００５６】
なお、本実施形態に係るトレイ１では、切断線２３が直線的に形成されていたが、本発明はこれに限定されない。切断線２３は、凹部２１の何れかの縁部２１Ａ，２１Ｂ，２１Ｃから側壁１１の下端までの間に形成されていれば、どのような形状であってもよく、例えば、曲線状、折れ線状またはこれらの組み合わせとなる形状でもよい（図示せず）。また、切断線２３は、最下部の変曲点Ｐ２から下方に延びていたが、これに限らず、例えば、最上部の変曲点Ｐ１から下方に延びていてもよい（図示せず）。また、切断線２３の上端は、変曲点Ｐ１，Ｐ２ではなく、下方の縁部２１Ａや斜行縁部２１Ｃに接していてもよい（図示せず）。
【００５７】
また、本実施形態に係るトレイ１では、切断線２３および第２の切断線３０が所謂ジッパーであったが、本発明はこれに限定されない。例えば、切断線２３および第２の切断線３０は、直線状の切目を複数並べたミシン刃線や、段ボールシートを厚み方向に半分程度切断した半切線等、側壁１１を切断する機能を有する線であれば如何なるものでもよい。
【００５８】
なお、本実施形態に係るトレイ１では、斜行縁部２１Ｃが１本の直線状に形成され、凹部２１の角部分に２つの変曲点Ｐ１，Ｐ２が形成されていたが、本発明はこれに限定されない。例えば、斜行縁部２１Ｃは、下方または上方に凸となる曲線状に形成されてもよいし、折れ線状に形成されてもよいし、曲線と直線とを組み合わせた線であってもよい（図示せず）。斜行縁部２１Ｃが折れ線状の場合、３つ以上の変曲点が形成される。
【００５９】
また、本実施形態に係るトレイ１では、凹部２１は、概略、矩形状を成す窪みであったが、これに限らず、概略、矩形以外の多角形状や半円形状等の形状を成す窪みであってもよい（図示せず）。また、１つの側壁１１に１つの凹部２１（折返し片２２）が形成されていたが、本発明はこれに限定されない。例えば、１つの側壁１１に２つ以上の凹部２１（折返し片２２）が形成されてもよい（図示せず）。
【００６０】
また、本実施形態に係るトレイ１では、折返し片２２が折り返されて側壁１１に接着されていたが、本発明はこれに限定されない。例えば、折返し片２２の高さが側壁１１の高さの半分程度に設定され、折り返した折返し片２２の先端が底壁１０に接触するようにしてもよい（図示せず）。つまり、側壁１１と折返し片２２とが、二重壁構造を構成してもよい。この場合、折返し片２２の先端には突起を設け、底壁１０には折返し片２２の突起が係合する穴が形成されてもよい（図示せず）。
【００６１】
また、本実施形態に係るトレイ１の四隅には、それぞれ、三角柱状の柱部２８が設けられたが、本発明はこれに限定されない。各柱部２８は、三角形断面以外の多角形断面を有する筒状に形成されてもよい（図示せず）。また、各柱部２８（柱壁１４）は省略（削除）されてもよい（図示せず）。この場合、底壁１０の連結穴２０や固定壁１３の解体用折線２６が省略されてもよい。
【００６２】
また、本実施形態に係るトレイ１は、紙製の両面段ボールシートで形成されていたが、これに限らず、片面段ボールシートや複両面段ボールシート、または厚紙、若しくは樹脂製の板（シート）等で形成されていてもよい。
【００６３】
また、本実施形態に係るトレイ１（または底壁１０）は、平面から見て略長方形状に形成されていたが、本発明はこれに限定されない。図示は省略するが、例えば、底壁が、平面から見て、長方形の４隅を斜めに切り落とした略八角形状に形成されてもよい。この場合、端壁は、底壁の左右両端部に立設される端壁本体と、端壁本体に連設され、底壁の斜めの縁部に立設される面取り壁と、を含むことが好ましい。固定壁１３は、面取り壁に連設され、側壁に固定される。
【００６４】
また、本実施形態では、包装箱の一例としてトレイ１に本発明を適用した場合について説明したが、これに限らず、例えば、トレイ１の上面開口を閉じる蓋体が側壁１１または端壁１２に連設されてもよいし、底壁１０が所謂ワンタッチ底であってもよい（図示せず）。すなわち、本発明は、包装箱の形式を問わず、トレイ１以外の形式の包装箱にも適用することができる。なお、ワンタッチ底を採用する場合、４つの固定壁１３や４つの柱壁１４を省略（削除）し、一対の側壁１１と一対の端壁１２とを交互に連設し、連設方向の端部にある側壁１１（または端壁１２）に継代片を連設し、その継代片を反対側の端壁１２（または側壁１１）の内面に接着して、角筒形状を形成することが好ましい。
【００６５】
なお、上記実施形態の説明は、本発明に係る包装箱における一態様を示すものであって、本発明の技術範囲は、上記実施形態に限定されるものではない。
【符号の説明】
【００６６】
１      トレイ（包装箱）
１０    底壁
１１    側壁
１１Ａ  固定領域（側方領域）
１１Ｃ  中間領域
１２    端壁
１３    固定壁
２１    凹部
２１Ａ  下方の縁部
２１Ｂ  側方の縁部
２１Ｃ  斜行縁部
２２    折返し片
２３    切断線
２３Ａ  切目
２３Ｂ  半切線部
２３Ｃ  全切線部
２８    柱部
３０    第２の切断線
【図１】
2020200100.tif 000003
【図２】
2020200100.tif 000004
【図３】
2020200100.tif 000005
【図４】
2020200100.tif 000006
【図５】
2020200100.tif 000007
【図６】
2020200100.tif 000008
【図７】
2020200100.tif 000009